(57)【特許請求の範囲】
【請求項１】
第１のテレビジョン方式の信号を第２のテレビジョン方式の信号の有効走査線数とするために、第１のテレビジョン方式と第２のテレビジョン方式の有効走査線数の比に応じてＹＵＶ信号を構成するラインデータを所定本数毎に１本重畳させた４：２：２または４：２：０のＹＵＶ信号を入力する入力手段と、
この入力手段から入力されたＹＵＶ信号を１走査線期間分遅延させて出力する遅延手段と、
この遅延手段で遅延されたＹＵＶ信号と上記入力手段から入力され上記遅延手段で遅延されていないＹＵＶ信号とでライン加算演算を行うことによりＹＵＶ信号を構成するラインデータを変換するライン変換手段と、
このライン変換手段で変換された４：２：２または４：２：０のＹＵＶ信号を４：４：４の同信号に変換する第１の変換手段と
を具備したことを特徴とするビデオエンコーダ回路。
【請求項２】
上記第１の変換手段で変換された４：４：４のＹＵＶ信号を、該ＹＵＶ信号及びＲＧＢ信号とは異なるビデオ信号に変換する第２の変換手段と、
上記第１の変換手段で変換された４：４：４のＹＵＶ信号をＲＧＢ信号に変換する第３の変換手段とをさらに具備したことを特徴とする請求項１記載のビデオエンコーダ回路。
【請求項３】
第１のテレビジョン方式の信号を第２のテレビジョン方式の信号の有効走査線数とするために、第１のテレビジョン方式と第２のテレビジョン方式の有効走査線数の比に応じてＹＵＶ信号を構成するラインデータを所定本数毎に１本重畳させたＹＵＶ信号を入力する入力手段と、
この入力手段から入力されたＹＵＶ信号を１走査線期間分遅延させて出力する遅延手段と、
この遅延手段で遅延されたＹＵＶ信号と上記入力手段から入力され上記遅延手段で遅延されていないＹＵＶ信号とでライン加算演算を行うことによりＹＵＶ信号を構成するラインデータを変換するライン変換手段と、
上記入力手段から入力され上記ライン変換手段で変換されていないＹＵＶ信号をＲＧＢ信号に変換する第１の変換手段と、
この第１の変換手段で得たＲＧＢ信号中の重複したラインの出力を禁止させるライン抑制手段と
を具備したことを特徴とするビデオエンコーダ回路。
【請求項４】
上記ライン変換手段で変換されたＹＵＶ信号を、該ＹＵＶ信号及びＲＧＢ信号とは異なるビデオ信号に変換する第２の変換手段とをさらに具備したことを特徴とする請求項３記載のビデオエンコーダ回路。
【請求項５】
上記入力手段から入力された４：２：２または４：２：０のＹＵＶ信号を４：４：４の同信号に変換する第３の変換手段をさらに備え、
上記遅延手段は、上記第３の変換手段で変換されたＹＵＶ信号を１走査線期間分遅延させて出力し、
上記ライン変換手段は、上記遅延手段で遅延されたＹＵＶ信号と上記第３の変換手段で変換され上記遅延手段で遅延されていないＹＵＶ信号とでライン加算演算を行うことによりＹＵＶ信号を構成するラインデータを変換し、
上記第１の変換手段は、上記第３の変換手段で変換され上記ライン変換手段で変換されていないＹＵＶ信号をＲＧＢ信号に変換する
ことを特徴とする請求項３又は４記載のビデオエンコーダ回路。
【請求項６】
上記ライン変換手段で変換された４：２：２または４：２：０のＹＵＶ信号を４：４：４の同信号に変換する第３の変換手段と、
上記入力手段から入力され上記ライン変換手段で変換されていない４：２：２または４：２：０のＹＵＶ信号を４：４：４の同信号に変換する第４の変換手段とをさらに備え、
上記第１の変換手段は、上記第４の変換手段で変換されたＹＵＶ信号をビデオ信号に変換し、
上記第２の変換手段は、上記第３の変換手段で変換されたＹＵＶ信号をＲＧＢ信号に変換する
ことを特徴とする請求項４記載のビデオエンコーダ回路。
【請求項７】
第１のテレビジョン方式の有効走査線数に対応して与えられるＹＵＶ信号を第２のテレビジョン方式の有効走査線数とするために、第１のテレビジョン方式と第２のテレビジョン方式の有効走査線数の比に応じて所定本数毎に１本重畳するライン数変換工程と、
このライン数変換工程で得たＹＵＶ信号を１走査線期間分遅延出力する遅延工程と、
この遅延工程で遅延したＹＵＶ信号と上記ライン数変換工程で得たＹＵＶ信号とでライン加算演算を行うことによりＹＵＶ信号を構成するラインデータを変換するライン変換工程と、
このライン変換工程で得た４：２：２または４：２：０のＹＵＶ信号を４：４：４の同信号に変換する変換工程と
を有したことを特徴とするテレビジョン方式変換方法。
【請求項８】
第１のテレビジョン方式の有効走査線数に対応して与えられるＹＵＶ信号を第２のテレビジョン方式の有効走査線数とするために、第１のテレビジョン方式と第２のテレビジョン方式の有効走査線数の比に応じて所定本数毎に１本重畳するライン数変換工程と、
このライン数変換工程で得たＹＵＶ信号を１走査線期間分遅延出力する遅延工程と、
この遅延工程で遅延したＹＵＶ信号と上記ライン数変換工程で得たＹＵＶ信号とでライン加算演算を行うことによりＹＵＶ信号を構成するラインデータを変換するライン変換工程と、
上記ライン数変換工程で得たＹＵＶ信号の重複するラインの出力を禁止させるライン抑制工程と
を有したことを特徴とするテレビジョン方式変換方法。
【発明の詳細な説明】
【０００１】
【発明の属する技術分野】
本発明は、例えばデジタルカメラ内に設けられ、撮影により得られたＮＴＳＣ信号をＰＡＬ信号に変換して出力するビデオエンコーダ回路及びこの回路で用いられるテレビジョン方式変換方法に関する。
【０００２】
【従来の技術】
図７に一般的なデジタルカメラの回路構成を示す。同図で、１０がデジタルカメラである。このデジタルカメラ１０は、記録モードと再生モードとを選択的に設定可能であり、記録モードの状態においては、レンズ１１の後方に配置された、撮像素子としてのＣＣＤ１２は、タイミング発生器（ＴＧ）１３、垂直ドライバ１４によって走査駆動され、一定周期毎に光電変換出力を１画面分出力する。
【０００３】
この光電変換出力は、サンプルホールド回路（Ｓ／Ｈ）１５でサンプルホールドされ、Ａ／Ｄ変換器（Ａ／Ｄ）１６でデジタルデータに変換され、色処理部１７でカラープロセス処理が行なわれて、デジタル値の輝度、色差マルチプレクス信号（ＹＵＶデータ）が生成され、バッファメモリとしてのＤＲＡＭ１８に書込まれる。
【０００４】
ＣＰＵ１９は、上記ＹＵＶデータのＤＲＡＭ１８への書込み後に、特定のテレビジョン方式、例えばＮＴＳＣの有効走査線数に対応してこのＹＵＶデータの少なくとも一部をＤＲＡＭ１８より読出し、ビデオエンコーダ２０へ送出する。ビデオエンコーダ２０は、上記ＹＵＶデータを基に外部出力のためのアナログのビデオ信号を生成する一方、アナログのＲＧＢ信号を生成して表示処理部２１に送出する。
【０００５】
表示処理部２１では、液晶表示（ＬＣＤ）パネル駆動用のタイミング信号を生成し、このタイミング信号に基づいてＲＧＢ信号を用いてＬＣＤパネル２２を表示駆動するもので、このＬＣＤパネル２２が記録モード時には液晶ファインダとして機能し、表示処理部２１の駆動に基づいた表示を行なうことで、その時点でＣＣＤ１２から取込んでいる画像情報に基づくモニタ画像を表示することとなる。
【０００６】
そして、このようにＬＣＤパネル２２にその時点での画像がリアルタイムに表示されている状態で、記録保存を行ないたいタイミングで、キー入力部２３を構成するシャッタキーを操作すると、トリガ信号を発生する。
【０００７】
ＣＰＵ１９は、このトリガ信号に応じてその時点でＣＣＤ１２から取込んでいる１画面分のＹＵＶデータのＤＲＡＭ１８への書込みの終了後、直ちにＣＣＤ１２からのＤＲＡＭ１８への経路を停止し、記録保存の状態に遷移する。
【０００８】
この記録保存の状態では、ＣＰＵ１９がＤＲＡＭ１８に書込まれている１フレーム分のＹＵＶデータをＹ，Ｃｂ，Ｃｒの各コンポーネント毎に縦８画素×横８画素の基本ブロックと呼称される単位で読出してＪＰＥＧ処理部（ＪＰＥＧ回路）２４に書込み、ＪＰＥＧ回路２４でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理を施して圧縮したファイル化した画像データを得、得た画像データファイルをＪＰＥＧ回路２４から読出して、不揮発性メモリであるフラッシュメモリ２５に書込む。
【０００９】
そして、１フレーム分のＹＵＶデータの画像データファイルへの圧縮処理及びフラッシュメモリ２５への全画像データファイルの書込み終了に伴なって、ＣＰＵ１９は再度ＣＣＤ１２からＤＲＡＭ１８への経路を再開する。
【００１０】
なお、上記キー入力部２３は、上述したシャッタキーの他に、記録（ＲＥＣ）モードと再生（ＰＬＡＹ）モードとを切換える録／再モード切換キー、画像選択キー等から構成され、キー操作に伴なう信号は直接ＣＰＵ１９へ送出される。
【００１１】
また、再生モードでは、ＣＰＵ１９はＣＣＤ１２からＤＲＡＭ１８への経路を停止し、キー入力部２３の画像選択キー等の操作に応じてＣＰＵ１９がフラッシュメモリ２５から特定の１フレーム分の符号データを読出してＪＰＥＧ処理部２４に書込み、ＪＰＥＧ処理部２４で上記圧縮処理と全く逆の工程による伸長処理を行なう。この伸長処理により得られたＹＵＶ信号からビデオエンコーダ２０が外部出力のためのアナログのビデオ信号を生成する一方、アナログのＲＧＢ信号を生成して表示処理部２１に送出する。
【００１２】
表示処理部２１では、このアナログのＲＧＢ信号を用いてＬＣＤパネル２２を表示駆動することで、選択した画像データファイルをこのＬＣＤパネル２２にて表示出力させることが可能となる。
【００１３】
次にデジタル値のＹＵＶ信号からアナログ値のビデオ信号とＲＧＢとを生成する上記ビデオエンコーダ２０内の詳細な回路構成について図８により説明する。
【００１４】
同図で、例えばＣＣＩＲ６５６フォーマットの８ビット（または１６ビット）のパラレル画素データ列でなる４：２：２のＹＵＶデータがビデオエンコーダ２０に入力されると、このＹＵＶデータは補間回路３１により４：４：４の同ＹＵＶデータに補間処理された後にローパスフィルタ（ＬＰＦ）３２１〜３２３及び変換回路３３に出力される。
【００１５】
ローパスフィルタ３２１〜３２３は、ＹＵＶの各周波数成分のみを選択的に通過させるもので、その出力が複数の加算器及び乗算器よりなる演算回路３４に送られる。
【００１６】
この演算回路３４では、Ｕ，Ｖ信号をサブキャリア信号（ｆＳＣ）発生部３６からのサブキャリア信号のサイン／コサイン位相によりそれぞれ変調した後に加算し、この加算信号にバースト信号発生部３７からのバースト信号を重畳し、さらに同期信号発生部３５で発振した水平同期信号及び垂直同期信号を重畳したＹ信号をさらに重畳することによりビデオ信号を生成することができるもので、こうして得られたビデオ信号をＤ／Ａ変換器３８で平滑化してアナログのビデオ信号として、外部へ導出する。
【００１７】
一方、変換回路３３は、４：４：４のＹＵＶ信号からマトリクス演算によりＲＧＢ信号を直接算出するもので、その出力をそれぞれＤ／Ａ変換器３９１〜３９３によりアナログ化して、上記表示処理部２１へ出力することとなる。
【００１８】
なお、複合同期信号ＣＳＹＮＣ及び基準クロックが共にビデオタイミング信号発生部４０に入力され、ここで各種タイミング信号が生成されて、このビデオエンコーダ２０内の各回路に供給される。
【００１９】
【発明が解決しようとする課題】
ところで、上記のようにして作成するビデオ信号及びＲＧＢ信号は、いずれも所定のテレビジョン方式、例えばわが国ではＮＴＳＣ方式の走査線数、信号の出力タイミング等に合わせたものとして作成している。
【００２０】
したがって、作成した信号のテレビジョン方式と異なるテレビジョン方式、例えばＰＡＬ方式で動作する外部出力機器や液晶表示パネル等には対処することができず、結果としてビデオ信号を出力する外部機器やＲＧＢ信号を表示する液晶表示パネルのテレビジョン方式に合致した専用のビデオエンコーダ２０を用意しなければならない。
【００２１】
そのため、例えばデジタルカメラをテレビジョン方式の異なる外国でも使用可能とするためには、上記図８で示した構成の回路をテレビジョン方式の数に合わせて複数系統用意し、そのいずれか１つを選択して使用することとなり、回路規模が非常に大きなものとなってしまう。
【００２２】
本発明は上記のような実情に鑑みてなされたもので、その目的とするところは、より小さな回路規模で複数のテレビジョン方式に対応することが可能なビデオエンコーダ回路及びこの回路で用いられるテレビジョン方式変換方法を提供することにある。
【００２３】
【課題を解決するための手段】
請求項１記載の発明は、第１のテレビジョン方式の信号を第２のテレビジョン方式の信号の有効走査線数とするために、第１のテレビジョン方式と第２のテレビジョン方式の有効走査線数の比に応じてＹＵＶ信号を構成するラインデータを所定本数毎に１本重畳させた４：２：２または４：２：０のＹＵＶ信号を入力する入力手段と、この入力手段から入力されたＹＵＶ信号を１走査線期間分遅延させて出力する遅延手段と、この遅延手段で遅延されたＹＵＶ信号と上記入力手段から入力され上記遅延手段で遅延されていないＹＵＶ信号とでライン加算演算を行うことによりＹＵＶ信号を構成するラインデータを変換するライン変換手段と、このライン変換手段で変換された４：２：２または４：２：０のＹＵＶ信号を４：４：４の同信号に変換する第１の変換手段とを具備したことを特徴とする。
請求項２記載の発明は、上記請求項１記載の発明において、上記第１の変換手段で変換された４：４：４のＹＵＶ信号を、該ＹＵＶ信号及びＲＧＢ信号とは異なるビデオ信号に変換する第２の変換手段と、上記第１の変換手段で変換された４：４：４のＹＵＶ信号をＲＧＢ信号に変換する第３の変換手段とをさらに具備したことを特徴とする。
【００２４】
このような構成とすれば、画像信号から第１のテレビジョン方式のＹＵＶ信号を作成した後に、第１のテレビジョン方式のＹＵＶ信号を簡易的に第２のテレビジョン方式の有効走査線数としたＹＵＶ信号を入力し、このＹＵＶ信号から精度の高い第２のテレビジョン方式の同信号に変換するようにしたため、より小さな回路規模で複数のテレビジョン方式に対応することが可能となる。
【００２５】
さらに、色差成分が省略されている第１のテレビジョン方式のＹＵＶ信号から第２のテレビジョン方式の同信号に変換し、その後に色差成分を補間処理するようにしたため、特にテレビジョン方式の変換に要する回路規模をより小さくしながら、複数のテレビジョン方式に対応することが可能となる。
請求項３記載の発明は、第１のテレビジョン方式の信号を第２のテレビジョン方式の信号の有効走査線数とするために、第１のテレビジョン方式と第２のテレビジョン方式の有効走査線数の比に応じてＹＵＶ信号を構成するラインデータを所定本数毎に１本重畳させたＹＵＶ信号を入力する入力手段と、この入力手段から入力されたＹＵＶ信号を１走査線期間分遅延させて出力する遅延手段と、この遅延手段で遅延されたＹＵＶ信号と上記入力手段から入力され上記遅延手段で遅延されていないＹＵＶ信号とでライン加算演算を行うことによりＹＵＶ信号を構成するラインデータを変換するライン変換手段と、上記入力手段から入力され上記ライン変換手段で変換されていないＹＵＶ信号をＲＧＢ信号に変換する第１の変換手段と、この第１の変換手段で得たＲＧＢ信号中の重複したラインの出力を禁止させるライン抑制手段とを具備したことを特徴とする。
【００２６】
このような構成とすれば、画像信号から第１のテレビジョン方式のＹＵＶ信号を作成した後に、第１のテレビジョン方式のＹＵＶ信号を簡易的に第２のテレビジョン方式の有効走査線数としたＹＵＶ信号を入力し、このＹＵＶ信号から精度の高い第２のテレビジョン方式の同信号に変換するようにしたため、より小さな回路規模で複数のテレビジョン方式に対応することが可能となる。
さらに、画像信号から第１のテレビジョン方式のＹＵＶ信号を得た後にさらにこのＹＵＶ信号から第２のテレビジョン方式の同信号に変換するようにしたため、より小さな回路規模で複数のテレビジョン方式に対応したビデオ信号の出力が可能となると共に、第１及び第２のテレビジョン方式双方のＹＵＶ信号を得ることができる。
【００２７】
請求項４記載の発明は、上記請求項３記載の発明において、上記ライン変換手段で変換されたＹＵＶ信号を、該ＹＵＶ信号及びＲＧＢ信号とは異なるビデオ信号に変換する第２の変換手段とをさらに具備したことを特徴とする。
【００２８】
このような構成とすれば、上記請求項３記載の発明の作用に加えて、請求項４記載の発明によれば、上記請求項３記載の発明の効果に加えて、精度の高い第２のテレビジョン方式のＹＵＶ信号から、該ＹＵＶ信号及びＲＧＢ信号とは異なるビデオ信号を得ることが可能となる。
【００２９】
請求項５記載の発明は、上記請求項３または４記載の発明において、上記入力手段から入力された４：２：２または４：２：０のＹＵＶ信号を４：４：４の同信号に変換する第３の変換手段をさらに備え、上記遅延手段は、上記第３の変換手段で変換されたＹＵＶ信号を１走査線期間分遅延させて出力し、上記ライン変換手段は、上記遅延手段で遅延されたＹＵＶ信号と上記第３の変換手段で変換され上記遅延手段で遅延されていないＹＵＶ信号とでライン加算演算を行うことによりＹＵＶ信号を構成するラインデータを変換し、上記第１の変換手段は、上記第３の変換手段で変換され上記ライン変換手段で変換されていないＹＵＶ信号をＲＧＢ信号に変換することを特徴とする。
【００３０】
このような構成とすれば、上記請求項３または４記載の発明の作用に加えて、特に第１のテレビジョン方式のＲＧＢ信号による表示等を行なう際に好適となる。
【００３１】
請求項６記載の発明は、上記請求項４記載の発明において、上記ライン変換手段で変換された４：２：２または４：２：０のＹＵＶ信号を４：４：４の同信号に変換する第３の変換手段と、上記入力手段から入力され上記ライン変換手段で変換されていない４：２：２または４：２：０のＹＵＶ信号を４：４：４の同信号に変換する第４の変換手段とをさらに備え、上記第１の変換手段は、上記第４の変換手段で変換されたＹＵＶ信号をビデオ信号に変換し、上記第２の変換手段は、上記第３の変換手段で変換されたＹＵＶ信号をＲＧＢ信号に変換することを特徴とする。
【００３２】
このような構成とすれば、上記請求項４記載の発明の作用に加えて、特に第１のテレビジョン方式のＲＧＢ信号による表示等を行なう際に好適となる。
【００３７】
請求項７記載の発明は、第１のテレビジョン方式の有効走査線数に対応して与えられるＹＵＶ信号を第２のテレビジョン方式の有効走査線数とするために、第１のテレビジョン方式と第２のテレビジョン方式の有効走査線数の比に応じて所定本数毎に１本重畳するライン数変換工程と、このライン数変換工程で得たＹＵＶ信号を１走査線期間分遅延出力する遅延工程と、この遅延工程で遅延したＹＵＶ信号と上記ライン数変換工程で得たＹＵＶ信号とでライン加算演算を行うことによりＹＵＶ信号を構成するラインデータを変換するライン変換工程と、このライン変換工程で得た４：２：２または４：２：０のＹＵＶ信号を４：４：４の同信号に変換する変換工程とを有したことを特徴とする。
【００３８】
このような方法とすれば、画像信号から第１のテレビジョン方式のＹＵＶ信号を得て、このＹＵＶ信号を第２のテレビジョン方式の有効走査線数となるように簡易的に変換した後に、さらに精度の高い第２のテレビジョン方式の同信号に変換するようにしたため、より小さな回路規模で複数のテレビジョン方式に対応することが可能となる。
【００３９】
さらに、色差成分が省略されている第１のテレビジョン方式のＹＵＶ信号から第２のテレビジョン方式の同信号に変換し、その後に色差成分を補間処理するようにしたため、特にテレビジョン方式の変換に要する回路規模をより小さくしながら、複数のテレビジョン方式に対応することが可能となる。
請求項８記載の発明は、第１のテレビジョン方式の有効走査線数に対応して与えられるＹＵＶ信号を第２のテレビジョン方式の有効走査線数とするために、第１のテレビジョン方式と第２のテレビジョン方式の有効走査線数の比に応じて所定本数毎に１本重畳するライン数変換工程と、このライン数変換工程で得たＹＵＶ信号を１走査線期間分遅延出力する遅延工程と、この遅延工程で遅延したＹＵＶ信号と上記ライン数変換工程で得たＹＵＶ信号とでライン加算演算を行うことによりＹＵＶ信号を構成するラインデータを変換するライン変換工程と、上記ライン数変換工程で得たＹＵＶ信号の重複するラインの出力を禁止させるライン抑制工程とを有したことを特徴とする。
【００４０】
このような方法とすれば、画像信号から第１のテレビジョン方式のＹＵＶ信号を得て、このＹＵＶ信号を第２のテレビジョン方式の有効走査線数となるように簡易的に変換した後に、さらに精度の高い第２のテレビジョン方式の同信号に変換するようにしたため、より小さな回路規模で複数のテレビジョン方式に対応することが可能となる。
さらに、画像信号から第１のテレビジョン方式のＹＵＶ信号を得た後にさらにこのＹＵＶ信号から第２のテレビジョン方式の同信号に変換するようにしたため、より小さな回路規模で複数のテレビジョン方式に対応したビデオ信号の出力が可能となると共に、第１及び第２のテレビジョン方式双方のＹＵＶ信号を得ることができる。
【００４１】
【発明の実施の形態】
（第１の実施の形態）
以下本発明をデジタルカメラで用いられるビデオエンコーダに適用した場合の第１の実施の形態について図面を参照して説明する。
【００４２】
なお、デジタルカメラ自体の構成は上記図７で示したものと同一であるものとして、同一部分は同一符号を用いるものとし、ここではその図示及び説明は省略する。
【００４３】
ここでは第１のテレビジョン方式としてＮＴＳＣ方式を、第２のテレビジョン方式としてＰＡＬ方式を用いるものとし、有効走査線数２４０のＮＴＳＣ方式のＹＵＶ信号から、有効走査線数２８８のＰＡＬ方式のＹＵＶ信号を生成する場合について説明する。
【００４４】
図１はビデオエンコーダ５０の回路構成を示すもので、やはり基本的な処理回路の流れは上記図８で示したものと同様であるので、同一部分には同一符号を付してその説明は省略するものとする。
【００４５】
しかして、ＣＰＵ１９はＤＲＡＭ１８からＮＴＳＣ方式によるＹＵＶ信号となるように読出したＹＵＶデータを、５ライン毎にそのうちの例えば先頭の１ラインを重複させて簡易型のＰＡＬ方式によるＹＵＶ信号としてビデオエンコーダ５０の補間回路３１に入力するもので、補間回路３１では、入力される４：２：２のＹＵＶ信号中の色差信号Ｕ，Ｖの補間処理を行なうことで４：４：４のＹＵＶ信号を生成し、１ラインメモリ５１及びライン変換回路５２に出力する。
【００４６】
１ラインメモリ５１は、例えばＲＡＭで構成され、ビデオタイミング信号発生部５３からのタイミング信号により、補間回路３１から送られてくるＹＵＶ信号を１走査線期間分だけ記憶し、読出してライン変換回路５２に送出することで、ＹＵＶ信号の遅延回路として機能する。
【００４７】
ライン変換回路５２では、ビデオタイミング信号発生部５３からのタイミング信号に応じて補間回路３１から直接入力されるＹＵＶ信号と１ラインメモリ５１を介して遅延して入力されるＹＵＶ信号をライン単位で選択し、適宜ライン加算演算を行なうことにより、上記簡易型のＰＡＬ方式のＹＵＶ信号から正確な（精度の高い）ＰＡＬ方式のＹＵＶ信号に変換して出力するもので、その出力が上記ローパスフィルタ３２１〜３２３及び変換回路３３の双方へ送られる。
【００４８】
また、複合同期信号ＣＳＹＮＣ及び基準クロックを入力するビデオタイミング信号発生部５３では、上記１ラインメモリ５１、ライン変換回路５２へのタイミング信号を発生する一方、Ｄ／Ａ変換器３９１〜３９３の出力するＲＧＢ信号を表示する例えばＴＦＴ液晶表示パネルの駆動回路へ、有効走査線期間に対応したイネーブル信号ＥＮ−Ｎを発生して出力する。
【００４９】
上記のような回路構成にあって、特に１ラインメモリ５１、ライン変換回路５２での動作について図２、図３を用いて説明する。
【００５０】
図２は簡易型のＰＡＬ方式のＹＵＶ信号から正確なＰＡＬ方式の同信号が生成される際の工程を示すものである。
【００５１】
図２（１）に、補間回路３１の出力するＹＵＶ信号を走査線単位で示すように、ここではＮＴＳＣ方式の有効走査線数２４０とＰＡＬ方式の有効走査線数２８８とがちょうど５：６の関係になることから、ここでは、ＣＰＵ１９によりバッファメモリであるＤＲＡＭ１８から読出されて補間回路３１に入力され、ここで色差成分が補間されて１ラインメモリ５１、ライン変換回路５２に出力されるＹＵＶ信号は、走査線５本毎に例えばその先頭の走査線１本が重複して２本分となるような簡易型のＰＡＬ方式に変換されている。
【００５２】
したがって、図示する如くその各走査線を「Ｌ（Ｌｉｎｅ）１」「Ｌ２」「Ｌ３」‥‥とすると、補間回路３１から１ラインメモリ５１、ライン変換回路５２に出力されるＹＵＶ信号は「Ｌ１」「Ｌ１」「Ｌ２」「Ｌ３」「Ｌ４」「Ｌ５」「Ｌ６」「Ｌ６」「Ｌ７」‥‥となる。
【００５３】
図２（２）に示すように、１ラインメモリ５１は補間回路３１からのＹＵＶ信号をビデオタイミング信号発生部５３からのタイミング信号に応じて記憶し、これを読出すことで、１走査線期間分だけ遅延させてライン変換回路５２へ送出する。
【００５４】
ライン変換回路５２では、図２（３）に示すように補間回路３１から直接送られてくる現ラインのＹＵＶ信号と１ラインメモリ５１から送られてくる前ラインのＹＵＶ信号とをライン加算演算して、正確なＰＡＬ方式のＹＵＶ信号「Ｐ（Ｐａｌ  ｌｉｎｅ）１」「Ｐ２」「Ｐ３」「Ｐ４」「Ｐ５」「Ｐ６」「Ｐ７」「Ｐ８」‥‥を算出する。
【００５５】
図３はこのライン変換回路５２によるライン加算演算の具体的な一例を示すもので、このようにして有効走査線２４０本のＹＵＶ信号から極めて自然に連続した同２８８本のＹＵＶ信号を算出することができる。
【００５６】
このＰＡＬ方式のＹＵＶ信号は、ローパスフィルタ３２１〜３２３、演算回路３４でビデオ信号に変換された後にＤ／Ａ変換器３８でアナログ化されて外部出力される一方、変換回路３３でＲＧＢ信号に変換され、Ｄ／Ａ変換器３９１〜３９３でそれぞれアナログ化された後に表示対象の駆動回路へ供給される。
【００５７】
なお、このライン変換回路５２の出力するＰＡＬ方式のＹＵＶ信号に対応して、ビデオタイミング信号発生部５３では２８８本の有効走査線期間に“Ｌ”レベルとなるようなイネーブル信号ＥＮ−Ｎを発生して、表示対象となるＴＦＴ液晶表示パネルの駆動回路へ出力する。
【００５８】
このように、既存のバッファメモリであるＤＲＡＭ１８を用いるだけで、ＮＴＳＣ方式からＰＡＬ方式に変換する際にビデオエンコーダ５０の内外に画像のバッファメモリを設ける必要がないため、回路の構成を非常に小規模のものとしながら、ＹＵＶ信号を第１のテレビジョン方式であるＮＴＳＣ方式から第２のテレビジョン方式であるＰＡＬ方式に変換することができる。
【００５９】
また、ＰＡＬ方式ではなくＮＴＳＣ方式のビデオ信号及びＲＧＢ信号を得たい場合には、このビデオエンコーダ５０の前段でＣＰＵ１９がバッファメモリであるＤＲＡＭ１８からＹＵＶ信号を読出し、補間回路３１に入力する際に、上述した走査線５本毎に１本を重複させて入力する、簡易型のＰＡＬ方式に変換する操作を行なわず、ビデオエンコーダ５０内においても、ライン変換回路５２が補間回路３１から直接送られてくるＹＵＶ信号のみを変換せずにそのまま通過させて出力させる。
【００６０】
この際、ビデオタイミング信号発生部５３は、ライン変換回路５２を含むビデオエンコーダ５０内の各回路に供給するタイミング信号と上記イネーブル信号ＥＮ−Ｎとを、当然ながらＰＡＬ方式ではなくＮＴＳＣ方式の表示タイミングに基づいたものとする。
【００６１】
なお、上記実施の形態では、１ラインメモリ５１をＲＡＭで構成するものとして説明したが、これに限らず、例えばシフトレジスタで構成するものとしてもよい。
【００６２】
また、補間回路３１で色差信号Ｕ，Ｖを補間して輝度信号Ｙと同様の走査線（横の画素）数とした後に１ラインメモリ５１、ライン変換回路５２に供給するのではなく、図４に示すように４：２：２のＹＵＶ信号を１ラインメモリ５１、ライン変換回路５２で処理した後に補間回路３１で補間処理して４：４：４のＹＵＶ信号に変換するものとしてもよい。
【００６３】
この場合、１ラインメモリ５１及びライン変換回路５２は色差信号Ｕ，Ｖが半減している状態で処理を実行すればよいため、図１の回路に比して、よりビデオエンコーダ５０全体の回路規模を縮小することができる。
【００６４】
なお、上記実施の形態では、有効走査線数２４０本のＮＴＳＣ方式のＹＵＶ信号に対し、５本毎にその先頭の走査線を重複して入力するものとして説明したが、これに限らず、５本中の２本目ないしはそれ以降の走査線を重複させるものとしてもよい。
【００６５】
（第２の実施の形態）
以下本発明をデジタルカメラで用いられるビデオエンコーダに適用した場合の第２の実施の形態について図面を参照して説明する。
【００６６】
なお、デジタルカメラ自体の構成は上記図７で示したものと同一であるものとして、同一部分は同一符号を用いるものとし、ここではその図示及び説明は省略する。
【００６７】
ここでは第１のテレビジョン方式としてＮＴＳＣ方式を、第２のテレビジョン方式としてＰＡＬ方式を用いるものとし、有効走査線数２４０のＮＴＳＣ方式のＹＵＶ信号から、有効走査線数２８８のＰＡＬ方式のＹＵＶ信号を生成する場合について説明する。
【００６８】
図５はビデオエンコーダ６０の回路構成を示すもので、基本的な処理回路の流れは上記図１で示したものと同様であるので、同一部分には同一符号を付してその説明は省略するものとする。
【００６９】
しかして、補間回路３１の出力するＹＵＶ信号が１ラインメモリ５１、ライン変換回路５２及び変換回路３３に出力され、ライン変換回路５２で正確なＰＡＬ方式に変換されたＹＵＶ信号はローパスフィルタ３２１〜３２３にのみ供給されるものとする。
【００７０】
これはすなわち、Ｄ／Ａ変換器３８よりＰＡＬ方式に変換したビデオ信号を外部出力させたい場合、ＣＰＵ１９から補間回路３１に入力されるＹＵＶ信号は、上記図２（１）で示した如くＮＴＳＣ方式の５本毎に１本を重畳した簡易型のＰＡＬ方式のものとなっている。
【００７１】
しかしながら、Ｄ／Ａ変換器３９１〜３９３の出力するＲＧＢ信号にのみ着目すると、表示対象である液晶表示パネルは、走査線数に相当する垂直方向の電極数がＮＴＳＣ方式に合致するように構成されており、ＰＡＬ方式のＲＧＢ信号を表示させる場合には、一般的に用いられる手法としてライン単位での間引きを行なわなければならず、そのままでは不連続の画像が表示されてしまうこととなる。
【００７２】
そこで、ビデオタイミング信号発生部５３′では、上記簡易型のＰＡＬ方式のＹＵＶ信号に同期し、重畳されたライン以外をイネーブルとするイネーブル信号ＬＯＥを発生してＬＣＤタイミング信号発生部６１に出力する。
【００７３】
ＬＣＤタイミング信号発生部６１では、このイネーブル信号ＬＯＥに位相同期して動作クロックとしての液晶駆動信号を発生させ、上記Ｄ／Ａ変換器３９１〜３９３の出力するＲＧＢ信号と共に、表示対象である液晶表示パネルの駆動回路に供給する。
【００７４】
このような回路構成にあっては、ＣＰＵ１９から補間回路３１に簡易型のＰＡＬ方式のＹＵＶ信号を入力しながらも、元のＮＴＳＣ方式のＹＵＶ信号に基づいたＲＧＢ信号で液晶表示パネルを駆動させることができる。
【００７５】
同時に、ＬＣＤタイミング信号発生部６１をビデオタイミング信号発生部５３′の出力するイネーブル信号ＬＯＥに同期させて動作させ、液晶表示パネルに動作クロックを供給するものとしたので、他にＶＣＯを用いたＰＬＬ回路等を必要とせず、このビデオエンコーダ６０を含むデジタルカメラ全体の回路規模をさらに小さくすることができる。
【００７６】
なお、上記実施の形態にあっても、補間回路３１で４：２：２のＹＵＶ信号に対して色差信号Ｕ，Ｖを補間して４：４：４の信号とした後に１ラインメモリ５１、ライン変換回路５２及び変換回路３３に供給するものとしたが、図６に示すようにビデオ信号の処理系とＲＧＢ信号の処理系とに分け、ビデオ信号の処理系では、４：２：２のＹＵＶ信号を始めに１ラインメモリ５１、ライン変換回路５２で処理した後に補間回路３１で補間処理して４：４：４のＹＵＶ信号に変換する一方、ＲＧＢ信号の処理系では、４：２：２のＹＵＶ信号を上記補間回路３１と同様構成の補間回路６２により補間処理して変換回路３３に供給するものとしてもい。
【００７７】
この場合、同様の構成を有する２つの補間回路３１，６２を配設しなければならないものの、１ラインメモリ５１及びライン変換回路５２は色差信号Ｕ，Ｖが半減している状態で処理を実行すればよいため、ビデオエンコーダ６０全体としては、図５の構成に比して、より回路規模を縮小することができる。
【００７８】
なお、上記第１及び第２の実施の形態いずれにおいても、ＮＴＳＣ方式のＹＵＶ信号をＰＡＬ方式の同信号に変換する場合についてのみ説明したが、本発明はこれに限るものではなく、有効走査線数が異なる第１のテレビジョン方式と第２のテレビジョン方式とで、その比に応じた走査線数の変換を行なうことができるものである。
【００７９】
同様に、テレビジョン方式の変換処理に関しては、デジタル（スチル）カメラのビデオエンコーダ回路に限らず、携帯使用が前提とされる液晶テレビ装置、デジタルビデオカメラ等でも適用可能であることはもちろんである。
【００８０】
その他、本発明はその要旨を逸脱しない範囲内で種々変形して実施することが可能であるものとする。
【００８１】
【発明の効果】
請求項１及び２記載の発明によれば、画像信号から第１のテレビジョン方式のＹＵＶ信号を作成した後に、第１のテレビジョン方式のＹＵＶ信号を簡易的に第２のテレビジョン方式の有効走査線数としたＹＵＶ信号を入力し、このＹＵＶ信号から精度の高い第２のテレビジョン方式の同信号に変換するようにしたため、より小さな回路規模で複数のテレビジョン方式に対応することが可能となる。
さらに、色差成分が省略されている第１のテレビジョン方式のＹＵＶ信号から第２のテレビジョン方式の同信号に変換し、その後に色差成分を補間処理するようにしたため、特にテレビジョン方式の変換に要する回路規模をより小さくしながら、複数のテレビジョン方式に対応することが可能となる。
【００８２】
請求項３記載の発明によれば、画像信号から第１のテレビジョン方式のＹＵＶ信号を作成した後に、第１のテレビジョン方式のＹＵＶ信号を簡易的に第２のテレビジョン方式の有効走査線数としたＹＵＶ信号を入力し、このＹＵＶ信号から精度の高い第２のテレビジョン方式の同信号に変換するようにしたため、より小さな回路規模で複数のテレビジョン方式に対応することが可能となる。
さらに、画像信号から第１のテレビジョン方式のＹＵＶ信号を得た後にさらにこのＹＵＶ信号から第２のテレビジョン方式の同信号に変換するようにしたため、より小さな回路規模で複数のテレビジョン方式に対応したビデオ信号の出力が可能となると共に、第１及び第２のテレビジョン方式双方のＹＵＶ信号を得ることができる。
【００８３】
請求項４記載の発明によれば、上記請求項３記載の発明の効果に加えて、精度の高い第２のテレビジョン方式のＹＵＶ信号から、該ＹＵＶ信号及びＲＧＢ信号とは異なるビデオ信号を得ることが可能となる。
【００８４】
請求項５記載の発明によれば、上記請求項３または４記載の発明の効果に加えて、特に第１のテレビジョン方式のＲＧＢ信号による表示等を行なう際に好適となる。
【００８５】
請求項６記載の発明によれば、上記請求項４記載の発明の効果に加えて、特に第１のテレビジョン方式のＲＧＢ信号による表示等を行なう際に好適となる。
【００８８】
請求項７記載の発明によれば、画像信号から第１のテレビジョン方式のＹＵＶ信号を得て、このＹＵＶ信号を第２のテレビジョン方式の有効走査線数となるように簡易的に変換した後に、さらに精度の高い第２のテレビジョン方式の同信号に変換するようにしたため、より小さな回路規模で複数のテレビジョン方式に対応することが可能となる。
さらに、色差成分が省略されている第１のテレビジョン方式のＹＵＶ信号から第２のテレビジョン方式の同信号に変換し、その後に色差成分を補間処理するようにしたため、特にテレビジョン方式の変換に要する回路規模をより小さくしながら、複数のテレビジョン方式に対応することが可能となる。
【００８９】
請求項８記載の発明によれば、画像信号から第１のテレビジョン方式のＹＵＶ信号を作成した後に、第１のテレビジョン方式のＹＵＶ信号を簡易的に第２のテレビジョン方式の有効走査線数としたＹＵＶ信号を入力し、このＹＵＶ信号から精度の高い第２のテレビジョン方式の同信号に変換するようにしたため、より小さな回路規模で複数のテレビジョン方式に対応することが可能となる。
さらに、画像信号から第１のテレビジョン方式のＹＵＶ信号を得た後にさらにこのＹＵＶ信号から第２のテレビジョン方式の同信号に変換するようにしたため、より小さな回路規模で複数のテレビジョン方式に対応したビデオ信号の出力が可能となると共に、第１及び第２のテレビジョン方式双方のＹＵＶ信号を得ることができる。
【図面の簡単な説明】
【図１】本発明の第１の実施の形態に係るビデオエンコーダの回路構成を示すブロック図。
【図２】同実施の形態に係るＰＡＬ方式への変換を説明する図。
【図３】同実施の形態に係るライン加算演算の具体的な演算内容の一例を示す図。
【図４】同実施の形態に係るビデオエンコーダの他の回路構成を示すブロック図。
【図５】本発明の第２の実施の形態に係るビデオエンコーダの回路構成を示すブロック図。
【図６】同実施の形態に係るビデオエンコーダの他の回路構成を示すブロック図。
【図７】一般的なデジタルカメラの回路構成を示すブロック図。
【図８】図７のビデオエンコーダ内の回路構成を示すブロック図。
【符号の説明】
１０…デジタルカメラ
１１…レンズ
１２…ＣＣＤ
１３…タイミング発生器
１４…垂直ドライバ
１５…サンプルホールド回路
１６…Ａ／Ｄ変換器
１７…色処理部
１８…ＤＲＡＭ
１９…ＣＰＵ
２０…ビデオエンコーダ
２１…表示処理部
２２…ＬＣＤパネル
２３…キー入力部
２４…ＪＰＥＧ処理部
２５…フラッシュメモリ
３１…（４：２：２→４：４：４）補間回路
３２１〜３２３…ローパスフィルタ
３３…変換回路
３４…（ＹＵＶ→ＲＧＢ）演算回路
３５…同期信号発生部
３６…サブキャリア信号発生部
３７…バースト信号発生部
３８，３９１〜３９３…Ｄ／Ａ変換器
４０…ビデオタイミング信号発生部
５０…ビデオエンコーダ
５１…１ラインメモリ
５２…ライン変換回路
５３，５３′…ビデオタイミング信号発生部
６０…ビデオエンコーダ
６１…ＬＣＤタイミング信号発生部
６２…（４：２：２→４：４：４）補間回路
【図１】
0003603683.tif 000002
【図２】
0003603683.tif 000003
【図３】
0003603683.tif 000004
【図４】
0003603683.tif 000005
【図５】
0003603683.tif 000006
【図６】
0003603683.tif 000007
【図７】
0003603683.tif 000008
【図８】
0003603683.tif 000009